(57)【要約】【課題】従来のクロージャを、架空光ケーブルから取り出した光心線の分配収納のみを行なうメインクロージャと、メインクロージャからの光心線をスプリッタで分岐させて収納する複数のサブクロージャとに分けることにより、作業が容易に行なえる架空光ケーブルの配線設備を提供する。【解決手段】架空区間に張架された架空光ケーブルＣの所要箇所にメインクロージャＡを設け、このメインクロージャＡ内に架空光ケーブルＣから取り出した複数の光心線１を夫々余長をもって分配収容し、メインクロージャＡ内の光心線１の１つを接続用ケーブル２を介して導入するサブクロージャＢを所要数個設け、このサブクロージャＢ内において、導入した光心線１をスプリッタＳにより複数に分岐させて、各分岐光心線１ａの余長を収納すると共に、各分岐光心線１ａを家屋Ｈ側へ引き落とすドロップケーブルＤに接続するようにした。【選択図】図２
2007052189.tif 000002
【特許請求の範囲】
【請求項１】
架空区間に張架された架空光ケーブルの所要箇所にメインクロージャを設け、このメインクロージャ内に架空光ケーブルから取り出した複数の光心線を夫々余長をもって分配収容し、このメインクロージャ内の光心線の１つを接続用ケーブルを介して導入するサブクロージャを所要数個設け、このサブクロージャ内において、導入した光心線をスプリッタにより複数に分岐させて、各分岐光心線の余長を収納すると共に、各分岐光心線を家屋等側へ引き落とすドロップケーブルに接続するようにした架空光ケーブルの配線設備。
【請求項２】
前記サブクロージャ内では、各分岐光心線と各ドロップケーブルの光心線とをコネクタを介して着脱自在に接続するようにした請求項１に記載の架空光ケーブルの配線設備。
【請求項３】
前記サブクロージャは、ケーシング本体とこれを開閉する蓋体とからなるケーシング、及びケーシング本体内に装備されるカセットケースによって構成され、カセットケースは、ケーシング本体内に収納される収納位置とこの収納位置から立ち上がる作業位置とに亘って回転可能にケーシングのケーシング本体に枢着されてなるもので、このカセットケース内に、スプリッタを設置して各分岐光心線の余長を収納すると共に前記コネクタを装着するようにした請求項２に記載の架空光ケーブルの配線設備。
【発明の詳細な説明】
【技術分野】
【０００１】
本発明は、電柱と電柱との間等の架空区間に張架された架空光ケーブルから各家屋（需要家）側への配線を行なう架空光ケーブルの配線設備に関するものである。
【背景技術】
【０００２】
現在、架空区間に張架された架空光ケーブルから各家屋側への配線は、光ケーブル接続用クロージャによって行なっている。このクロージャは、光ケーブルと光ケーブルとを接続し、その接続部及び光心線の余長部分を収容し保護するために用いられるものである。しかして、このクロージャ内において、架空光ケーブルからの光心線の取出し、スプリッタへの接続、ドロップケーブルへの接続等を行なっているが、このクロージャ内での光心線が輻輳しているために、作業が非常にしづらい状況にある。なお、光配線方式は、配線効率を高めるために、光伝送源側で１本の光心線をスプリッタを使用して４つに分岐し、さらに架空の光ケーブル用クロージャ内で８本分岐を行うことにより、１本の光心線を３２本に分岐して顧客側へ接続し、光ファイバーサービスを行なっている。
【０００３】
図５の(a) は従来の光ケーブル接続用クロージャ１０Ａを示す概略側面断面図、(b) は(a) の概略平面断面図である。このクロージャ１０Ａ内においては、光ケーブルＣからの光心線１の取り出し、収納トレーＴへの光心線１の分配、スプリッタＳへの光心線１のつなぎ込み、スプリッタＳから出た光心線１の分配（４層のトレーＴに配分）、ドロップケーブルＤへの光心線１の接続など、極めて複雑な接続が行なわれていて、光心線１が非常に輻輳している。なお、図５の(a) ，(b) において、１ａはスプリッタＳを出た分岐光心線を示す。
【０００４】
また、光心線１の接続は、メカニカルスプライスＭ｛光心線１を切断し、接合する（コンパウンドで光心線断面の隙間を充填し、損失を押さえる）｝によって行なっているが、作業性が非常に悪く、また顧客の都合により変更が生じた場合は切り詰める必要があり、これが重なると、高価なスプリッタ自体の取り換えが必要であった。さらに、ドロップケーブルをクロージャから各家屋まで引くのに、ドロップケーブルを延々と電柱間に架け渡す必要があるため、作業に手間がかかった。
【発明の開示】
【発明が解決しようとする課題】
【０００５】
本発明は、上記のような問題を解決するためになされたもので、従来の光ケーブル接続用クロージャを、架空光ケーブルから取り出した光心線の分配収納のみを行なうメインクロージャと、スプリッタを装備し、メインクロージャからの光心線を分岐させて収納する複数のサブクロージャとに分けるようにすることで、修理等の作業が容易に行なえるようにした架空光ケーブルの配線設備を提供することを主たる目的とする。本発明の他の目的は、ドロップケーブルを短縮化を図ることができる架空光ケーブルの配線設備を提供することである。
【課題を解決するための手段】
【０００６】
上記課題を解決するための手段を、後述する実施形態の参照符号を付して説明すると、請求項１に係る発明は、架空区間に張架された架空光ケーブルＣの所要箇所にメインクロージャＡを設け、このメインクロージャＡ内に架空光ケーブルＣから取り出した複数の光心線１を夫々余長をもって分配収容し、このメインクロージャＡ内の光心線１の１つを接続用ケーブル２を介して導入するサブクロージャＢを所要数個設け、このサブクロージャＢ内において、導入した光心線１をスプリッタＳにより複数に分岐させて、各分岐光心線１ａの余長を収納すると共に、各分岐光心線１ａを家屋等Ｈ側へ引き落とすドロップケーブルＤに接続するようにしたことを特徴とする。
【０００７】
請求項２は、請求項１に記載の架空光ケーブルの配線設備において、前記サブクロージャＢ内では、各分岐光心線１ａと各ドロップケーブルＤの光心線１１とをコネクタ８を介して着脱自在に接続するようにしたことを特徴とする。
【０００８】
請求項３は、請求項２に記載の架空光ケーブルの配線設備において、前記サブクロージャＢは、ケーシング本体５ａとこれを開閉する蓋体５ｂとからなるケーシング５、及びケーシング本体５ａ内に装備されるカセットケース６によって構成され、カセットケース６は、ケーシング本体５ａ内に収納される収納位置とこの収納位置から立ち上がる作業位置とに亘って回転可能にケーシング５のケーシング本体５ａに枢着されてなるもので、このカセットケース６内に、スプリッタＳを設置して各分岐光心線１ａの余長を収納すると共に前記コネクタ８を装着するようにしたことを特徴とする。
【発明の効果】
【０００９】
上記解決手段による発明の効果を、後述する実施形態の参照符号を付して説明すると、請求項１に係る発明によれば、架空光ケーブルＣの所要箇所にメインクロージャＡを設け、このメインクロージャＡ内に架空光ケーブルＣから取り出した複数の光心線１を夫々余長をもって分配収容し、このメインクロージャＡ内の光心線１の１つを接続用ケーブル２を介して導入するサブクロージャＢを所要数個設け、このサブクロージャＢ内において、メインクロージャＡより導入した光心線１をスプリッタＳにより複数に分岐させて、各分岐光心線１ａの余長を収納すると共に、各分岐光心線１ａを家屋等Ｈ側へ引き落とすドロップケーブルＤに接続するようにしたから、クロージャ内における光心線の輻輳を避けることができ、点検、修理などの作業が容易に行なえて、その作業能率の向上を図ることができると共に、各家屋Ｈに引き込むドロップケーブルＤの短縮化を図ることができ、それによって経済性の向上を実現することができる。そしてまた、サブクロージャＢを最も有効な場所に取り付けることができて、クロージャＡ，ＢとドロップケーブルＤの効率的な運用を図ることができる。
【００１０】
請求項２に係る発明によれば、サブクロージャＢ内では、各分岐光心線１ａと各ドロップケーブルＤの光心線１１とをコネクタ８を介して着脱自在に接続するようにしたから、各分岐光心線１ａと各ドロップケーブルＤの光心線１１との接続作業が頗る容易となり、顧客の変更があった場合にその切換作業が迅速容易に行なえ、また故障が生じた場合にはその故障の所在が明確になると共に故障の責任分担が明確になって、余計なトラブルの発生を回避できる。また、メカニカルスプライスによるスプリッタのリード線の短縮化によるスプリッタの取り換えの無駄を抑えることができる。また、上記のようにスプリッタＳとその入出力端子を一つのカセットにすることによって、工場生産による品質の安定を期することができると共に、製品コストの低廉化を期することができる。
【００１１】
請求項３に係る発明によれば、サブクロージャＢは、ケーシング本体５ａとこれを開閉する蓋体５ｂとからなるケーシング５、及びケーシング本体５ａ内に装備されるカセットケース６によって構成され、カセットケース６は、ケーシング本体５ａ内に収納される収納位置とこの収納位置から立ち上がる作業位置とに亘って回転可能にケーシング５のケーシング本体５ａに枢着されてなるもので、このカセットケース６内に、スプリッタＳを設置して各分岐光心線１ａの余長を収納すると共に前記コネクタ８を装着するようにしたから、通常使用時には、カセットケース６をケーシング５のケーシング本体５ａ内に収納位置で収納して、蓋体５ｂによりケーシング本体５ａを閉蓋しておけばよく、しかして作業時には、ケーシング５の蓋体５ｂを開け、カセットケース６を収納位置から回転させて、作業位置に立ち上がらせることによって、点検、故障時の修理作業やメンテナンスが容易となる。
【発明を実施するための最良の形態】
【００１２】
以下に本発明の実施形態を図面に基づいて説明すると、図１は本発明に係る架空光ケーブルの配線設備を説明する説明図であり、図２はメインクロージャＡ及びサブクロージャＢの夫々内部構造を示す平面図である。この発明の配線設備は、図１及び図２に示すように、電柱Ｐ間に張架された架空光ケーブルＣの所要箇所にメインクロージャＡを設置し、このメインクロージャＡ内に、架空光ケーブルＣから取り出した複数の光心線１を夫々余長をもって分配収容し、このメインクロージャＡ内の光心線１の１つを接続用ケーブル２を介して導入するサブクロージャＢを所要数個設け、このサブクロージャＢ内において、導入した光心線１をスプリッタＳにより複数に分岐させて、各分岐光心線１ａの余長を収納すると共に、各分岐光心線１ａを家屋等Ｈ側へ引き落とすドロップケーブルＤに接続するように構成したものである。
【００１３】
メインクロージャＡは、図２には概略的にしか示していないが、例えば箱状ケーシング本体とこれを開閉する蓋体とからなる開閉自在なケーシング３からなるもので、このケーシング３の箱状ケーシング本体内に、架空光ケーブルＣから取り出した複数の光心線１を夫々十分な余長をもって分配収容するようになっている。また、このケーシング３に収容された各光心線１の端部は、サブクロージャＢにつながる接続用ケーブル２の光心線１と適宜接続されるようになっており、その接続部を４で示す。
【００１４】
各サブクロージャＢは、図３から分かるように、箱状のケーシング本体５ａと、このケーシング本体５ａを開閉する蓋体５ｂとからなるケーシング５、及びこのケーシング５のケーシング本体５ａ内に装備されるカセットケース６によって構成される。カセットケース６は、ケーシング本体５ａ内に収納される収納位置（図３の実線で示される位置）と、ケーシング本体５ａ内に収納された収納位置から立ち上がった作業位置（図３の仮想線で示される位置）とに亘り回転できるようにケーシング本体５ａに枢着されてなるもので、図２に示すように、カセットケース６内に、スプリッタＳを設置して各分岐光心線１ａの余長を収納するようになっている。
【００１５】
図２に示すように、カセットケース６内の一側部中央にスプリッタＳが設置され、他側部にはコネクタ７，８が一定間隔で配設されている。また、このカセットケース６は、図２及び図３の実線で示す収納位置において着脱可能なカセット押えａ，ｂによりケーシング５のケーシング本体５ａ底面側に保持固定されるようになっており、カセット押えａ，ｂを取り外すことにより、図３の仮想線で示される作業位置に回転できるようになっている。このカセットケース６には９個のコネクタ７，８が配設されている。
【００１６】
メインクロージャＡと１つのサブクロージャＢとを接続配線するにあたっては、先ず、メインクロージャＡに収容されている光心線１の１つを、必要とする長さの接続用ケーブル２の一端部と接続し（その接続部を図２に４で示す）、この接続用ケーブル２の先端部をサブクロージャＢ内に所要長さ引き込んで、このケーブル２の引き込み部分の被覆部を除去して露出した光心線１の先端部を、カセットケース６に設けてあるコネクタ７の１つ（図２では、９個配設してあるコネクタ７，８のうちの最上部側に位置するコネクタ７）に連結し、そしてこのコネクタ７とスプリッタＳとを同様な光心線１により接続する。
【００１７】
スプリッタＳは、入力側端部より入光した光心線からの光を複数に分岐させるもので、この実施形態では８つに分岐させるようになっている。そして、図２に示すようにスプリッタＳの出力側端部には、分岐した８つの分岐光を伝送するための８本の分岐光心線１ａの夫々一端部を接続配線し、これら８本の分岐光心線１ａの他端部を、カセットケース６の内側で、前記９個のコネクタ７，８のうちの残りの８個のコネクタ８に夫々連結する。そしてまた、これら８個のコネクタ８は、カセットケース６の外側で、図２に示すように夫々ドロップケーブルＤの光心線１１の一端部と連結させる。
【００１８】
なお、図２及び図３には、メインクロージャＡからサブクロージャＢ内に引き込んだ接続用ケーブル２の先端部をサブクロージャＢのケーシング本体５ａに固定する固定部を９で示し、サブクロージャＢから家屋等Ｈ側へ引き込むドロップケーブルＤの光心線１１をケーシング本体５ａに固定する固定部を１０で示している。
【００１９】
図２に示すサブクロージャＢは、縦長のケーシング５内にカセットケース６を縦向きに挿入配備した縦型サブクロージャの実施例であるが、図４には、横長のケーシング５内にカセットケース６を横向きに挿入配備した横型サブクロージャＢの実施例を示している。図４に示す横型サブクロージャＢは、ケーシング５が横長形状になっているだけで、このケーシング５内に挿入されるカセットケース６及びその配線構造は、縦長のケーシング５内に挿入されるものと全く同じであって、カセットケース６は縦型、横型の何れにも使用できるものである。
【００２０】
またサブクロージャＢは、図１に示されるように、電柱Ｐに取り付ける場合と光ケーブルＣに取り付ける場合とがあり、電柱Ｐの場合には、ケーシング５のケーシング本体５ａを適当な取付金具などを用いて電柱Ｐに取り付ければよいし、光ケーブルＣの場合には、図１に概略示すように、ケーシング本体５ａの上端部に適当なハンガー部材１２を取り付けておいて、このハンガー部材１２を光ケーブルＣ又はそのメッセンジャーワイヤーに吊り下げるようにすればよい。
【００２１】
図１に示す実施形態の配線設備では、電柱Ｐ間に張架された架空光ケーブルＣの所要箇所にメインクロージャＡを設置し、このメインクロージャＡ内に、架空光ケーブルＣから取り出した４本の光心線１を分配収容しておいて、このメインクロージャＡ内の光心線１の１本を、図１の左側に示す電柱Ｐに取り付けたサブクロージャＢに接続用ケーブル２を介して導入し、このサブクロージャＢ内でスプリッタＳによって例えば８つに分岐させた分岐光心線１ａ…の１本を、ドロップケーブルＤを介して家屋Ｈに引き落とすようにし、またメインクロージャＡ内の他の１本を、図１の右側に示す電柱Ｐに取り付けたサブクロージャＢに接続用ケーブル２を介して導入し、このサブクロージャＢ内で分岐させた分岐光心線１ａ…の１本をドロップケーブルＤによって家屋Ｈに引き落とすようにし、さらにメインクロージャＡ内の他の２本を、架空光ケーブルＣに取り付けた２つのサブクロージャＢ，Ｂに夫々接続用ケーブル２を介して導入し、その１つのサブクロージャＢ内にある分岐光心線１ａ…の１本をドロップケーブルＤによって家屋Ｈに引き落とすようにした例を示している。
【００２２】
以上説明したような本発明の配線設備によれば、架空光ケーブルＣの所要箇所にメインクロージャＡを設置し、このメインクロージャＡ内に、架空光ケーブルＣから取り出した複数の光心線１を夫々余長をもって分配収容し、このメインクロージャＡ内の光心線１の１つを接続用ケーブル２を介して導入するサブクロージャＢを所要数個設け、このサブクロージャＢ内において、メインクロージャＡより導入した光心線１をスプリッタＳにより複数に分岐させて、各分岐光心線１ａの余長を収納すると共に、各分岐光心線１ａを家屋等Ｈ側へ引き落とすドロップケーブルＤに接続するようにしたから、クロージャ内における光心線の輻輳を避けることができ、修理等の作業が容易に行なえて、その作業能率の向上を図ることができると共に、各家屋Ｈに引き込むドロップケーブルＤの短縮化を図ることができ、それによって経済性の向上を実現することができる。また、サブクロージャＢを最も有効な場所に取り付けることができて、クロージャＡ，ＢとドロップケーブルＤの効率的な運用を図ることができる。
【００２３】
また、この配線設備によれば、サブクロージャＢ内では、各分岐光心線１ａと各ドロップケーブルＤの光心線１１とをコネクタ８を介して着脱自在に接続するようにしたから、各分岐光心線１ａと各ドロップケーブルＤの光心線１１との接続作業が頗る容易となり、特に顧客の変更があった場合の切換作業が迅速容易に行なえ、また故障が生じた場合にはその故障の所在が明確になると共に故障の責任分担が明確になって、余計なトラブルの発生を回避できる。さらに、メカニカルスプライスによるスプリッタのリード線の短縮化によるスプリッタの取り換えの無駄を抑えることができる。
【００２４】
また、この配線設備では、サブクロージャＢは、ケーシング本体５ａとこれを開閉する蓋体５ｂとからなるケーシング５、及びケーシング本体５ａ内に装備されるカセットケース６によって構成され、カセットケース６は、ケーシング本体５ａ内に収納される収納位置とこの収納位置から立ち上がる作業位置とに亘って回転可能にケーシング５のケーシング本体５ａに枢着されてなるもので、このカセットケース６内に、スプリッタＳを設置して各分岐光心線１ａの余長を収納すると共に前記コネクタ８を装着するようにしたから、通常使用時には、カセットケース６をケーシング５のケーシング本体５ａ内に収納位置で収納して、蓋体５ｂによりケーシング本体５ａを閉蓋しておけばよく、しかして作業時には、図３に示すようにケーシング５の蓋体５ｂを開け、カセットケース６を収納位置から回転させて、同図の仮想線図示のように作業位置に立ち上がらせることによって、点検、故障時の修理作業やメンテナンスが容易となる。
【００２５】
また、上記のようにスプリッタＳとその入出力端子を一つのカセットにすることによって、工場生産による品質の安定を期することができると共に、製品コストの低廉化を期することができる。
【図面の簡単な説明】
【００２６】
【図１】本発明に係る架空光ケーブルの配線設備を説明する説明図である。
【図２】メインクロージャ及びサブクロージャの内部構造を示す平面図であって、サブクロージャは、縦長のケーシング内にカセットケースを縦向きに挿入配備した縦型サブクロージャの例を示す。
【図３】サブクロージャのケーシングを開放して、カセットケースの回転操作を説明する斜視図である。
【図４】横長のケーシング内にカセットケースを横向きに挿入配備した横型サブクロージャの例を示す平面図である。
【図５】(a) は従来の光ケーブル用クロージャを示す概略側面断面図、(b) は(a) の概略平面断面図である。
【符号の説明】
【００２７】
Ａ            メインクロージャ
Ｂ            サブクロージャ
Ｃ            架空光ケーブル
Ｄ            ドロップケーブル
Ｈ            家屋
Ｐ            電柱
Ｓ            スプリッタ
１            光心線
１ａ          分岐光心線
２            接続用ケーブル
３            メインクロージャのケーシング
５            サブクロージャのケーシング
５ａ          ケーシング本体
５ｂ          蓋体
６            カセットケース
７，８        コネクタ
１１          ドロップケーブルの光心線
【図１】
2007052189.tif 000003
【図２】
2007052189.tif 000004
【図３】
2007052189.tif 000005
【図４】
2007052189.tif 000006
【図５】
2007052189.tif 000007